(57)【要約】      （修正有）【課題】一種類の部材で壁面と卓上のいずれにも簡単かつ容易に飾ることができるようにした額縁を提供する。【解決手段】台板部７の背面に、壁掛け兼立て掛け部材６を選択的に係止する第１の係止部２０、２０と、第２の係止部２５を設ける。第１の係止部２０は、台板部７の２辺２１ａ、２１ｂに沿ってそれぞれ突設された一対の係合片２２Ａ、２２Ｂと、離脱防止片２３とで構成され、額縁本体３を壁面に取付けるとき、いずれか一方に係止されている壁掛け兼立て掛け部材６を利用して吊り下げる。第２の係止部２５は、台板部７の他の２辺２１ｃ、２１ｄの隅角部にそれぞれ突設された筒状の嵌合部からなり、額縁本体３を卓上に設置するとき、下となる辺、例えば片２１ｃ側の２つの第２の係止部２５、２５に壁掛け兼立て掛け部材６をそれぞれ嵌合して立て掛ける。【選択図】図２
0003144412.tif 000002
【実用新案登録請求の範囲】
【請求項１】
額縁本体と、棒状体に形成され壁掛け片を有する一対一組からなる壁掛け兼立て掛け部材とを備え、この壁掛け兼立て掛け部材によって前記額縁本体を壁面に吊り下げるかまたは卓上に立て掛ける額縁であって、
前記額縁本体の背面側に、前記壁掛け兼立て掛け部材を選択的かつ着脱自在に係止する第１、第２の係止部を設けてなり、
前記第１の係止部は、前記額縁本体を壁面またはテーブル上に設置したときに上になる一辺とこれに直交する一辺側にそれぞれ突設され前記各壁掛け兼立て掛け部材を前記額縁本体の背面に沿って係止する係止片と、前記係止片に対応して設けられ前記係止片から前記壁掛け兼立て掛け部材がその軸線方向と直交する方向に離脱するのを防止する弾性変形可能な離脱防止片とからなり、
前記第２の係止部は、前記額縁本体の前記第１の係止部が設けられている二辺とは異なる他の二辺の両端部にそれぞれ突設され前記一対の壁掛け兼立て掛け部材の一端部が選択的に嵌合する合計３つの嵌合部とからなることを特徴とする額縁。
【請求項２】
請求項１記載の額縁において、
前記第１の係止部の係止片は、側面視Ｊ字状に形成されることにより壁掛け兼立て掛け部材が嵌合する凹部を有し、
前記第１の係止部の側方に位置し、前記壁掛け兼立て掛け部材が第１の係止部から軸線方向に離脱するのを防止する抜け防止部を前記額縁本体にさらに設けたことを特徴とする額縁。
【請求項３】
請求項１または２記載の額縁において、
前記額縁本体の枠部を形成する４つの枠辺のうち前記第１の係止部に対応する２つの枠辺に雄型連結部をそれぞれ突設し、残り２つの枠辺に雌型連結部をそれぞれ形成し、これらの連結部によって複数個の額縁本体を上下、左右方向に連結可能にしたことを特徴とする額縁。
【考案の詳細な説明】
【技術分野】
【０００１】
本考案は、写真、色紙、絵画、ジグソーパズル等を壁面や卓上に飾る際に用いて好適な額縁に関するものである。
【背景技術】
【０００２】
通常、写真、絵画、組上がったジグソーパズル、影絵、押し花等の薄いものを飾る際に用いられる額縁としては、種々の寸法のものがあり、部屋や廊下の壁面に飾る場合は、その大きさに合った額縁を用意してその中に上記の薄いものを入れ、透明なカバーまたはガラスによって覆った後、壁面に取付けた止め金具、釘等のフックに額縁を適宜な紐または金具で引掛けて吊り下げるようにしている（例えば、特許文献１〜４参照）。一方、ポストカードや小型のジグソーパズルを卓上に飾る場合は、額縁の背面側に折り畳み自在に設けた支持脚によって立て掛けるようにしている（例えば、特許文献５参照）。
【０００３】
【特許文献１】特開２００１−３２７３７６号公報
【特許文献２】特開２０００−２６２３７３号公報
【特許文献３】特開平０７−２３９６６８号公報
【特許文献４】特開２００７−２８３０４２号公報
【特許文献５】特開２００１−３２７３７７号公報
【考案の開示】
【考案が解決しようとする課題】
【０００４】
しかしながら、従来の額縁は、一般にそのサイズによって壁掛け用と卓上用に分かれており、壁に掛けて飾る額縁では紐または壁専用の取付金具を用い、卓上に置いて飾る額縁では卓上専用の支持部材を設けたものが殆どであった。このため、壁掛け用の額縁を卓上に立て掛けるときは、わざわざ卓上用の支持部材を用意し、卓上用の額縁を壁面に掛けるときは、同様に壁専用の金具または紐をわざわざ用意する必要があるという煩わしさがあった。
【０００５】
本考案は上記したような従来の問題を解決するためになされたもので、その目的とするところは、一種類の部材で壁面と卓上のいずれにも簡単かつ容易に使用することができるようにした額縁を提供することにある。
【課題を解決するための手段】
【０００６】
上記目的を達成するために、本考案は、枠部とからなる額縁本体と、棒状体に形成され壁掛け片を有する一対一組からなる壁掛け兼立て掛け部材とを備え、この壁掛け兼立て掛け部材によって前記額縁本体を壁面に吊り下げるかまたは卓上に立て掛ける額縁であって、前記額縁本体の背面側に、前記壁掛け兼立て掛け部材を選択的かつ着脱自在に係止する第１、第２の係止部を設けてなり、前記第１の係止部は、前記額縁本体を壁面またはテーブル上に設置したときに上になる一辺とこれに直交する一辺側にそれぞれ突設され前記各壁掛け兼立て掛け部材を前記額縁本体の背面に沿って係止する係止片と、前記係止片に対応して設けられ前記係止片から前記壁掛け兼立て掛け部材がその軸線方向と直交する方向に離脱するのを防止する弾性変形可能な離脱防止片とからなり、前記第２の係止部は、前記額縁本体の前記第１の係止部が設けられている二辺とは異なる他の二辺の両端部にそれぞれ突設され前記一対の壁掛け兼立て掛け部材の一端部が選択的に嵌合する合計３つの嵌合部とからなるものである。
【０００７】
また、本考案は、上記考案において、前記第１の係止部の係止片は、側面視Ｊ字状に形成されることにより壁掛け兼立て掛け部材が嵌合する凹部を有し、前記第１の係止部の側方に位置し、前記壁掛け兼立て掛け部材が第１の係止部から軸線方向に離脱するのを防止する抜け防止部を前記額縁本体にさらに設けたものである。
【０００８】
さらに、本考案は、上記考案において、前記額縁本体の枠部を形成する４つの枠辺のうち前記第１の係止部に対応する２つの枠辺に雄型連結部をそれぞれ突設し、残り２つの枠辺に雌型連結部をそれぞれ形成し、これらの連結部によって複数個の額縁本体を上下、左右方向に連結可能にしたものである。
【考案の効果】
【０００９】
本考案においては、壁掛け兼立て掛け部材を第１の係止部に取付けたときは、壁掛け片を壁面の止め具に係合させることで、額縁本体を壁面に吊り下げることができる。一方、壁掛け兼立て掛け部材を第２の係止部に嵌合させたときは、壁掛け兼立て掛け部材が支持脚となり、額縁本体を卓上に立て掛けることができる。
【００１０】
また、本考案においては、抜け防止部を備えているので、壁掛け兼立て掛け部材が第１の係止部の側方に抜けて脱落するおそれがない。
【００１１】
さらに、本考案においては、額縁本体の隣り合う２つの枠辺に雄型連結部に設け、残り２つの枠辺に雌型連結部を設けているので、額縁本体自体がジグソータイプの額縁を形成し、その上下または左右に複数個の額縁本体を連結して使用することができ、任意の形状、大きさの額縁とすることができる。
【考案を実施するための最良の形態】
【００１２】
以下、本考案を図面に示す実施の形態に基づいて詳細に説明する。
図１は本考案をジグソーパズル用パネルに適用した一実施の形態を示す前方側から見た分解斜視図、図２は同パネルを背面側から見た斜視図、図３は卓上に横向きに設置するときの壁掛け兼立て掛け部材の取付構造を示す斜視図、図４は卓上に横向きに設置したときの側面図、図５は卓上に縦向きに設置するときの壁掛け兼立て掛け部材の取付構造を示す斜視図、図６は壁面に吊り下げるときの壁掛け兼立て掛け部材の取付構造を示す斜視図、図７は壁面に吊り下げた状態を示す要部の断面図である。
【００１３】
図１および図２において、本実施の形態は、組み上がったジグソーパズル（以下、単にジグソーパズルという）１を卓上９（図４）または壁面１０（図７）に飾るジグソーパズル用パネル２に適用した例を示している。このジグソーパズル用パネル２は、前面に設けた収納凹部４内にジグソーパズル１を収納する額縁本体３と、前記収納凹部４内に収納されたジグソーパズル１を覆い埃等の付着を防止する透明なカバー５と、額縁本体３の背面側に着脱可能に取付けられた一対一組からなる壁掛け兼立て掛け部材６、６とを備えている。
【００１４】
前記額縁本体３は、適宜な板厚と大きさを有する矩形板状の台板部７と、この台板部７の周囲を取り囲む矩形の枠部８とからなり、合成樹脂によって一体成形されている。収納凹部４は、枠部８を台板部７の前方に適宜寸法突出させて設けることにより形成されている。すなわち、収納凹陥４は、台板部７の表面７ａと、枠部８の台板部７の表面７ａより前方に突出している内壁面８ａとによって囲まれた空間とされる。
【００１５】
前記枠部８は、台板部７の４辺２１ａ〜２１ｄを取り囲む４つの枠辺８Ａ〜８Ｄからなり、その厚みが上下左右でそれぞれ異なり、ジグソーパズル用パネル２を壁面１０（図７）に横向きに吊り下げて使用するときに下になる枠辺８Ａと、壁面１０に縦向きに吊り下げて使用するときに下になる枠辺８Ｂの幅ｔ1 を、卓上９に横向きに立て掛けて使用するとき（図４）に上になる枠辺８Ｃと、卓上９に縦向きに立て掛けて使用するとき（図５）に上になる枠辺８Ｄの幅ｔ2 より大きく設定している（ｔ1＞ｔ2）。また、４つの枠辺８Ａ〜８Ｄのうち幅の大きい２つの枠辺８Ａ、８Ｂの外側面中央には、蟻溝形状の凹部からなる雌型接続部１１Ａ、１１Ｂがそれぞれ凹設され、幅の小さい２つの枠辺８Ｃ、８Ｄの外側面中央には、前記雌型接続部１１Ａ、１１Ｂと相似形でこれより若干小さい突起からなる雄型接続部１２Ａ、１２Ｂがそれぞれ一体に突設されており、これらの雌型接続部１１Ａ、１１Ｂと雄型接続部１２Ａ、１２Ｂとにより額縁本体３をジグソータイプのフレームとし、図１に２点鎖線で示すように必要に応じて同一形状の額縁本体３を縦横方向に所要個数接続して使用することができるようにしている。なお、枠部８は、断面形状がＬ字状の薄い板からなり、奥行き寸法が１２ｍｍ程度で、図２に示すように後端が台板部７より後方に延在している。
【００１６】
前記透明カバー５は、可撓性を有する合成樹脂製で、前記台板部７の表面７ａと相似形でこれより若干小さい矩形に形成され、四隅にそれぞれ突設された突片１３を一体に有し、カバー自体の弾性変形を利用して突片１３を前記枠部８の内壁面８ａの四隅部にそれぞれ形成した係止穴１４に係入することにより、前記収納凹部４内に着脱可能に収納され、ジグソーパズル１の表面を覆う。因みに、ジグソーパズル１は、１５０ピースで、１００×１４７ｍｍの大きさである。
【００１７】
図２において、前記壁掛け兼立て掛け部材６は、直径が５〜６ｍｍ程度、長さが７０ｍｍ程度の丸い棒状体からなり、長手方向中央に係合穴１７を有する壁掛け片１８が接線方向に一体に突設されており、不使用においては前記台板部７の背面７ｂに設けた一対一組からなる第１の係止部２０、２０にそれぞれ着脱可能に係止されている。
【００１８】
前記第１の係止部２０は、枠部８の雄型接続部１２Ａ、１２Ｂが設けられている枠辺８Ｃ、８Ｄに対応する２辺、すなわち台板部７の背面７ｂでかつ額縁本体３を卓上９または壁面１０に横向きまたは縦向きに設置したときに上になる二辺２１ａ、２１ｂ側にそれぞれ突設されるもので、前記各壁掛け兼立て掛け部材６を台板部７の背面７ｂに沿って係止する一対一組からなる第１、第２の係止片２２Ａ、２２Ｂと、前記壁掛け兼立て掛け部材６がその軸線方向と直交する方向、言い換えれば第１、第２の係止片２２Ａ、２２Ｂから取り出し方向に離脱するのを防止する弾性変形可能な離脱防止片２３とで構成されている。また、第１、第２の係止片２２Ａ、２２Ｂは、内面が台板部７の内側を向く側面視Ｊ字状に形成されることにより、内側面が前記壁掛け兼立て掛け部材６の外周面の一部が嵌合する凹部２７を形成している。前記離脱防止片２０は、コ字状の溝１９によって３辺が台板部７から切り離された弾性変形可能な舌片からなり、第１、第２の係止片２２Ａ、２２Ｂの中間に設けられ、先端に壁掛け兼立て掛け部材６を第１、第２の係止片２２Ａ、２２に押し付ける断面三角形の突状体２４が全福にわたって一体に突設されている。第１の係止部２０から兼立て掛け部材６を取り外すときは、壁掛け兼立て掛け部材６を手で台板部７に押し付けて離脱防止片２３を台板部７の前面側に弾性変形させ、この状態で壁掛け兼立て掛け部材６を台板部７の背面７ｂに沿って中央側にスライドさせればよい。
【００１９】
前記台板部７の背面７ｂで、前記枠部８の雌型接続部１１Ａ、１１Ｂが設けられている枠辺８Ａ、８Ｂに対応する２辺、すなわち額縁本体３を卓上９または壁面１０に横向きまたは縦向きに設置したときに下になる二辺２１ｃ、２１ｄの隅角部には、合計３個からなる第２の係止部２５がそれぞれ設けられている。この第２の係止部２５は、先端面に前記壁掛け兼立て掛け部材６の端部がはめ込まれる六角形の嵌合穴２６が形成された円筒体で構成されている。
【００２０】
前記台板部７の背面で各第１の係止部２０の両側には、さらに前記壁掛け兼立て掛け部材６の軸線方向への移動を一定範囲内に規制し、第１の係止部２０から離脱するのを防止する抜け防止部２８が設けられている。この抜け防止部２８は、小さな突起と、台板部７の隣り合う２辺２１ｂと２１ｃとの隅角部に突設された第２の係止部２５とで構成されている。
【００２１】
このような構造からなるジグソーパズル用パネル２において、卓上９に横向きに立て掛ける際には、図３および図４に示すように、台板部７の下となる辺２１ｃの両端部にそれぞれ突設されている２つの第２の係止部２５、２５の嵌合穴２６に２本の壁掛け兼立て掛け部材６、６をそれぞれ嵌合し、図４に示すように卓上９に設置する。ジグソーパズル用パネル２を卓上９に設置すると、枠部８の枠辺８Ａの下端と、２本の壁掛け兼立て掛け部材６、６の後端が卓上９に当たって額縁本体３を後方に所要角度、例えば２０°傾斜させる。この傾斜角度は、壁掛け兼立て掛け部材６の長さと第２の係止部２５の額縁本体３の下端からの突設高さを変えることにより任意の角度に変更可能である。
【００２２】
卓上９に縦向きに立て掛ける際には、図５に示すように、台板部７の下となる辺２１ｄの両端部にそれぞれ突設されている２つの第２の係止部２５、２５の嵌合穴２６に２本の壁掛け兼立て掛け部材６、６をそれぞれ嵌合して卓上９に設置する。額縁本体３を卓上９に設置すると、枠部８の枠辺８Ｂと、２本の壁掛け兼立て掛け部材６、６の後端が卓上９に当たり、これにより額縁１が後方に所要角度（２０°）傾斜して立て掛けられる。
【００２３】
ジグソーパズル用パネル２を壁面１０に横向きに吊り下げる際には、図６および図７に示すように、台板部７の上となる辺２１ａ側に係止されている壁掛け兼立て掛け部材６を利用して額縁本体３を壁面１０に吊り下げる。すなわち、台板部７の辺２１ａ側に設けられている第１の係止部２０に壁掛け兼立て掛け部材６を係止して壁掛け片１８を上向きにし、係合穴１７を壁面１０に取付けられている止め具としての止めねじ１６に係合させる。係合穴１７を止めめじ１６に引っ掛けて額縁本体３を吊り下げると、枠部８の後端面は、壁面１０に当接する。なお、壁面１０への取付けに使用されなかった壁掛け兼立て掛け部材６については、台板部７の辺２１ｂ側に設けられている第１の係止部２０に係止しておく。
【００２４】
壁面１０に縦向きに吊り上げる際には、台板部７の上となる辺２１ｂ側に設けられている第１の係止部２０に係止されている壁掛け兼立て掛け部材６を利用して上記と同様に壁面に吊り下げる。
【００２５】
このように本考案においては、一種類からなる２本の壁掛け兼立て掛け部材６、６を備え、これらを利用して額縁本体３を卓上９または壁面１０に設置するようにしているので、卓上用の支持脚を用意したり、壁面用の紐を用意したりする必要がなく、卓上または壁面に簡単にかつ安定した状態で設置することができ、実用性に富んだ額縁を提供することができる
【００２６】
なお、上記した実施の形態においては、第２の係止部２５を係合穴２６を有する円筒状に形成し、係合穴２６に壁掛け兼立て掛け部材６の端部を嵌合するようにした例を示したが、これに限らずピン状の突起で構成し、壁掛け兼立て掛け部材６の先端面に前記突起に嵌合する嵌合穴を形成してもよい。
【００２７】
また、上記した実施の形態は、ジグソーパズル１を飾るジグソーパズル用パネル２に適用した例を示したが、これに限らず写真、色紙、押し花等を飾る額縁にもそのまま適用することができる。
【００２８】
また、上記した実施の形態は抜け防止部２８を設けた例を示したが、これは必ずしも必要ではない。
【図面の簡単な説明】
【００２９】
【図１】本考案をジグソーパズル用パネルに適用した一実施の形態を示す前方側から見た分解斜視図である。
【図２】同パネルを背面側から見た斜視図である。
【図３】卓上に横向きに設置するときの壁掛け兼立て掛け部材の取付構造を示す斜視図である。
【図４】卓上に横向きに設置したときの側面図である。
【図５】卓上に縦向きに設置するときの壁掛け兼立て掛け部材の取付構造を示す斜視図である。
【図６】壁面に吊り下げるときの壁掛け兼立て掛け部材の取付構造を示す斜視図である。
【図７】壁面に吊り下げた状態を示す要部の断面図である。
【符号の説明】
【００３０】
１…ジグソーパズル、２…ジグソーパズル用パネル、３…額縁本体、４…収納凹部、５…透明カバー、６…壁掛け兼立て掛け部材、７…台板部、８…枠部、８Ａ〜８Ｄ…枠辺、９…卓上、１０…壁面、１１Ａ、１１Ｂ…雌型接続部、１２Ａ、１２Ｂ…雄型接続部、１７…係合穴、１８…壁掛け片、２０…第１の係止部、２２Ａ、２２Ｂ…第１の係止片、２３…離脱防止片、２５…第２の係止部、２８…抜け防止部。
【図１】
0003144412.tif 000003
【図２】
0003144412.tif 000004
【図３】
0003144412.tif 000005
【図４】
0003144412.tif 000006
【図５】
0003144412.tif 000007
【図６】
0003144412.tif 000008
【図７】
0003144412.tif 000009